(57)【要約】【課題】本発明は、広告表示媒体の蛇行を自動的に修正防止し、安定した走行を得ることができる広告表示媒体用の蛇行防止装置を提供する。【解決手段】本発明に係る広告表示媒体用の蛇行防止装置は、間隔を隔て上下に平行配置した２本の巻き取り軸７ａ、７ｂ間において巻き取り又は繰り出しを行い、表面に設けた広告表示部を視認させるシート状の広告表示媒体用の蛇行防止装置であって、前記２本の巻き取り軸７ａ、７ｂの近傍に各々平行配置した少なくとも一端側が変位可能な広告表示媒体の走行ガイドを行う２本のガイド軸体４０ａ、４０ｂと、前記広告表示媒体の定常走行領域のいずれかの位置又は装置内のいずれかの位置に１又は２以上複数設けられた広告表示媒体の定常走行領域からの蛇行を検出する検出手段と、前記検出手段の検出結果に基づき上側又は下側のガイド軸体４０ａ、４０ｂの一端側を上昇又は下降させ、蛇行した広告表示媒体を定常走行領域に戻す上下２個構成又は上下いずれか一方の１個構成の蛇行防止機構部５０ａ、５０ｂと、を有することを特徴とするものである。【選択図】図５
2004219703.tif 000002
【特許請求の範囲】
【請求項１】
間隔を隔て平行配置した２本の巻き取り軸間で巻き取り、繰り出しを行い、表面に設けた広告表示部を視認させるシート状の広告表示媒体用の蛇行防止装置であって、
前記２本の巻き取り軸の近傍に各々平行配置した少なくとも一端側が変位可能な広告表示媒体の走行ガイドを行う２本のガイド軸体と、
前記広告表示媒体の定常走行領域からの蛇行を検出する検出手段と、
この検出手段の検出結果に基づき前記ガイド軸体の一端側を変位させ、蛇行した広告表示媒体を定常走行領域に戻す蛇行防止機構部と、
を有することを特徴とする広告表示媒体用の蛇行防止装置。
【請求項２】
間隔を隔て上下に平行配置した２本の巻き取り軸間で巻き取り、繰り出しを行い、表面に設けた広告表示部を視認させるシート状の広告表示媒体用の蛇行防止装置であって、
前記２本の巻き取り軸の近傍に各々平行配置した少なくとも一端側が変位可能な広告表示媒体の走行ガイドを行う２本のガイド軸体と、
前記広告表示媒体の定常走行領域のいずれかの位置又は装置内のいずれかの位置に１又は２以上複数設けられた広告表示媒体の定常走行領域からの蛇行を検出する検出手段と、
前記検出手段の検出結果に基づき上側又は下側のガイド軸体の一端側を上昇又は下降させ、蛇行した広告表示媒体を定常走行領域に戻す上下２個構成又は上下いずれか一方の１個構成の蛇行防止機構部と、
を有することを特徴とする広告表示媒体用の蛇行防止装置。
【請求項３】
間隔を隔て平行配置した２本の巻き取り軸間で巻き取り、繰り出しを行い、表面に設けた広告表示部を視認させるシート状の広告表示媒体を備えた広告表示装置であって、
前記２本の巻き取り軸の近傍に各々平行配置した少なくとも一端側が変位可能な広告表示媒体の走行ガイドを行う２本のガイド軸体と、
前記広告表示媒体の定常走行領域からの蛇行を検出する検出手段と、
この検出手段の検出結果に基づき前記ガイド軸体の一端側を変位させ、蛇行した広告表示媒体を定常走行領域に戻す蛇行防止機構部と、を有する蛇行防止装置を備えたことを特徴とする広告表示装置。
【請求項４】
間隔を隔て上下に平行配置した２本の巻き取り軸間で巻き取り、繰り出しを行い、表面に設けた広告表示部を視認させるシート状の広告表示媒体を備えた広告表示装置であって、
前記２本の巻き取り軸の近傍に各々平行配置した少なくとも一端側が変位可能な広告表示媒体の走行ガイドを行う２本のガイド軸体と、
前記広告表示媒体の定常走行領域のいずれかの位置又は装置内のいずれかの位置に１又は２以上複数設けられた広告表示媒体の定常走行領域からの蛇行を検出する検出手段と、
前記検出手段の検出結果に基づき上側又は下側のガイド軸体の一端側を上昇又は下降させ、蛇行した広告表示媒体を定常走行領域に戻す上下２個構成又は上下いずれか一方の１個構成の蛇行防止機構部と、を有する蛇行防止装置を備えたことを特徴とする広告表示装置。
【発明の詳細な説明】
【発明の属する技術分野】
本発明は、各種ポスター類のような各種広告等を表面に表示した広告表示媒体用の蛇行防止装置及び該広告表示媒体を備えた広告表示装置に関するものである。
【従来の技術】
従来、この種の広告表示装置においては、例えば、図１２に示すように、広告表示媒体である長尺プラスチック製のベースシート１００上に商品広告等を印刷したポスター類１０１を取り付け、ベースシート１００を上ローラ１０３又は下ローラ１０４の回転駆動により巻き取って、前記ポスター類１０１に印刷した広告等を視認者に向けて掲示するようにしたものが知られている。なお、図１２中の符号１１１は、複数の各ベースシート１００を相互に連結するために各ベースシート１００の上下の各端辺に取り付けられた取付部材であって、符号１１２は各取付部材１１１に配置された嵌込具である。
【発明が解決しようとする課題】
しかしながら、上述した従来の広告表示装置の場合、ベースシート１００の蛇行防止対策は講じられておらず、実際の使用中に長尺のベースシート１００が定常走行領域から蛇行走行し、極端な場合にはベースシート１００の端縁部が図示していないが枠体部等と接触して破れてしまう可能性もあった。
本発明は、上記従来の事情に鑑み開発されたものであり、広告表示媒体の蛇行を自動的に修正防止し、安定した広告表示機能を発揮させることができる広告表示媒体用の蛇行防止装置及び該広告表示媒体を備えた広告表示装置を提供することを目的とするものである。
【課題を解決するための手段】
上述した課題を解決するために、請求項１記載の発明に係る広告表示媒体用の蛇行防止装置は、間隔を隔て平行配置した２本の巻き取り軸間で巻き取り、繰り出しを行い、表面に設けた広告表示部を視認させるシート状の広告表示媒体用の蛇行防止装置であって、前記２本の巻き取り軸の近傍に各々平行配置した少なくとも一端側が変位可能な広告表示媒体の走行ガイドを行う２本のガイド軸体と、前記広告表示媒体の定常走行領域からの蛇行を検出する検出手段と、この検出手段の検出結果に基づき前記ガイド軸体の一端側を変位させ、蛇行した広告表示媒体を定常走行領域に戻す蛇行防止機構部と、を有することを特徴とするものである。
請求項２記載の発明に係る広告表示媒体用の蛇行防止装置は、間隔を隔て上下に平行配置した２本の巻き取り軸間で巻き取り、繰り出しを行い、表面に設けた広告表示部を視認させるシート状の広告表示媒体用の蛇行防止装置であって、前記２本の巻き取り軸の近傍に各々平行配置した少なくとも一端側が変位可能な広告表示媒体の走行ガイドを行う２本のガイド軸体と、前記広告表示媒体の定常走行領域のいずれかの位置又は装置内のいずれかの位置に１又は２以上複数設けられた広告表示媒体の定常走行領域からの蛇行を検出する検出手段と、前記検出手段の検出結果に基づき上側又は下側のガイド軸体の一端側を上昇又は下降させ、蛇行した広告表示媒体を定常走行領域に戻す上下２個構成又は上下いずれか一方の１個構成の蛇行防止機構部と、を有することを特徴とするものである。
請求項１、２記載の発明によれば、検出手段により広告表示媒体の定常走行領域からの蛇行を検出し、これを基に蛇行防止機構部によりガイド軸体の一端側を変位させ、蛇行した広告表示媒体を定常走行領域に戻すことができ、広告表示媒体の蛇行を自動的に修正防止し、安定した走行状態を得ることができる広告表示媒体用の蛇行防止装置を提供することができる。
特に、請求項２記載の発明によれば、前記広告表示媒体の定常走行領域のいずれかの位置又は装置内のいずれかの位置に１又は２以上複数設けられた検出手段と、上下２個構成又は上下いずれか一方の１個構成の蛇行防止機構部とによって、上側、下側の双方又は一方で蛇行した広告表示媒体を定常走行領域に戻すことができ、広告表示媒体の蛇行を上側、下側の双方又は一方で自動的に修正防止し、安定した走行状態を得ることができる広告表示媒体用の蛇行防止装置を提供することができる。
請求項３記載の発明に係る広告表示装置は、間隔を隔て平行配置した２本の巻き取り軸間で巻き取り、繰り出しを行い、表面に設けた広告表示部を視認させるシート状の広告表示媒体を備えた広告表示装置であって、前記２本の巻き取り軸の近傍に各々平行配置した少なくとも一端側が変位可能な広告表示媒体の走行ガイドを行う２本のガイド軸体と、前記広告表示媒体の定常走行領域からの蛇行を検出する検出手段と、この検出手段の検出結果に基づき前記ガイド軸体の一端側を変位させ、蛇行した広告表示媒体を定常走行領域に戻す蛇行防止機構部と、を有する蛇行防止装置を備えたことを特徴とするものである。
請求項４記載の発明に係る広告表示装置は、間隔を隔て上下に平行配置した２本の巻き取り軸間で巻き取り、繰り出しを行い、表面に設けた広告表示部を視認させるシート状の広告表示媒体を備えた広告表示装置であって、前記２本の巻き取り軸の近傍に各々平行配置した少なくとも一端側が変位可能な広告表示媒体の走行ガイドを行う２本のガイド軸体と、前記広告表示媒体の定常走行領域のいずれかの位置又は装置内のいずれかの位置に１又は２以上複数設けられた広告表示媒体の定常走行領域からの蛇行を検出する検出手段と、前記検出手段の検出結果に基づき上側又は下側のガイド軸体の一端側を上昇又は下降させ、蛇行した広告表示媒体を定常走行領域に戻す上下２個構成又は上下いずれか一方の１個構成の蛇行防止機構部と、を有する蛇行防止装置を備えたことを特徴とするものである。
請求項３、４記載の発明によれば、検出手段により広告表示媒体の定常走行領域からの蛇行を検出し、これを基に蛇行防止機構部によりガイド軸体の一端側を変位させ、蛇行した広告表示媒体を定常走行領域に戻すことができ、広告表示媒体の蛇行を自動的に修正防止し、安定した走行状態を得ることができる広告表示媒体用の蛇行防止装置を備えているので安定した広告表示機能を発揮させることができる広告表示装置を提供することができる。
特に、請求項４記載の発明によれば、前記広告表示媒体の定常走行領域のいずれかの位置又は装置内のいずれかの位置に１又は２以上複数設けられた検出手段と、上下２個構成又は上下いずれか一方の１個構成の蛇行防止機構部とによって、上側、下側の双方又は一方で蛇行した広告表示媒体を定常走行領域に戻すことができ、広告表示媒体の蛇行を上側、下側の双方又は一方で自動的に修正防止し、安定した走行状態を得ることができる広告表示媒体用の蛇行防止装置を備えているので、安定した広告表示機能を発揮させることができる広告表示装置を提供することができる。
【発明の実施の形態】
以下、本発明の実施の形態に係る広告表示媒体用の蛇行防止装置及び該装置を備えた広告表示装置について詳細に説明する。
図１、図２に示すように、本実施の形態の広告表示媒体の蛇行防止装置を組み込んだ広告表示装置は、広告表示装置自体の構成を図示するものに限定するものではないが、例えば、直方体形状の装置本体１の前面中央部に、前記装置本体１の内部に掲示される広告表示媒体の一種であるポスター類Ｐを視認可能なフロントカバー２が設けられている。
フロントカバー２の左側側面部には、フロントカバー開閉キー３が設けられている。
装置本体１におけるフロントカバー２の正面下部には、スピーカー４、人体を感知する人体感知センサ５、リタンーボタン６が設けられている。
前記装置本体１内には、広告表示媒体を構成する所望枚数の各ポスター類Ｐを支持する支持ユニット７が設けられ、この支持ユニット７の側面部には、周波数切換えスイッチ８、メカユニット開閉ツマミ９、チャイム音ボリューム１０、操作パネル１１、メカユニット１２、電源／照明スイッチ１３、前記所望枚数の各ポスター類Ｐの位置検出を行う位置センサ１４が各々配置されている。
更に、支持ユニット７の後側には、装置本体１の全体枠組みを構成する支柱又は支持枠１５が配置され、また、支持ユニット７の背面側には蛍光灯等の内部照明１６が配置されている。
前記装置本体１の下部にはアジャスタ１７付の平坦なベース１８が設けられている。更に、装置本体１からは電源コード１９が導出されている。
次に、図３、図４を参照して、所望枚数の各ポスター類Ｐと、本実施の形態の上連結シート２０、下連結シート３０との連結構造について説明する。
上連結シート２０は、例えば弾性を有する薄板シート製で略長方形状に形成されたシート本体２１を具備し、長辺方向にポスター類Ｐの上辺の突き当て位置決めを行う２箇所の開閉可能な位置決め爪部２２を有するとともに、ポスター類Ｐの上辺裏面に貼り付ける例えば３箇所の両面接着テープからなる貼り付け部２３を設けている。
更に、前記シート本体２１の上辺には、その上側に位置する上側リーダーシート（図示せず）又は上側に位置するポスター類Ｐとの嵌め込み連結用の例えば３個の屈曲可能な略Ｔ状を呈する嵌込片２４を設けている。
下連結シート３０は、例えば弾性を有する薄板シート製で略長方形状に形成されたシート本体３１を具備し、長辺方向にポスター類Ｐの下辺の突き当て位置決めを行う２箇所の開閉可能な位置決め爪部３２を有するとともに、ポスター類Ｐの下辺裏面に貼り付ける例えば３箇所の両面接着テープからなる貼り付け部３３を設けている。
更に、前記シート本体３１の下辺側には、その下側に位置する下側リーダーシート（図示せず）又は下側に位置するポスター類Ｐとの嵌め込み連結用、すなわち、前記嵌込片２４が嵌め込み可能な嵌込受穴３４を例えば３箇所設けている。３箇所の嵌込受穴３４は略Ｔ状を呈する嵌込片２４の形状に対応して、各々所定間隔を有する一対ずつの細穴３４ａ、３４ｂから形成される。
更に、下連結シート３０の短辺下部には、前記位置センサ１４により検出されるセンサマーク３５が付されている。なお、当該センサマーク３５は、下連結シート３０にこれを付する他、これに代替して上連結シート２０に付して実施しても良い。
広告表示媒体を構成する上側リーダーシート、ポスター類Ｐ、下側リーダーシートは、支持ユニット７の上部に設けた上巻き取り軸７ａにより巻き取り、繰り出し駆動され、また支持ユニット７の下部に設けた下巻き取り軸７ｂにより巻き取り、繰り出し駆動されるようになっている。
次に本実施の形態の広告表示媒体の蛇行防止装置について、図５、図６を参照して詳述する。
前記支持ユニット７には、図５に示すような蛇行防止装置が組み込まれている。
この蛇行防止装置は、支持ユニット７の上部に設けた上巻き取り軸７ａ、下部に設けた下巻き取り部７ｂの近傍に各々平行配置され、ポスター類Ｐのような広告表示媒体の走行ガイドを行う２本のガイド軸体４０ａ、４０ｂと、前記広告表示媒体の定常走行領域の上部両側、下部両側に各々設けた広告表示媒体の定常走行領域からの左又は右にずれた蛇行を検出する例えば４個の検出手段である蛇行センサ４１ａ、４１ｂ、４２ａ、４２ｂと、蛇行した広告表示媒体を定常走行領域に戻す上下２個構成の蛇行防止機構部５０ａ、５０ｂとを有している。
なお、本発明においては、前記蛇行した広告表示媒体を定常走行領域に戻す蛇行防止機構部は、図示する上下２個構成の他、上下いずれか一方の１個構成として実施しても良い。
なお、図示する本実施の形態では、広告表示媒体の蛇行を検出するのに４個の検出手段、すなわち、蛇行センサ４１ａ、４１ｂ、４２ａ、４２ｂを構成しているが、本発明においては、当該検出手段の個数を図示する構成に限定するものではない。本発明においては、広告表示媒体の蛇行を検出する検出手段として、例えば、前記広告表示媒体の定常走行領域の左右の位置又は上下部の位置に各１個ずつ設けて構成しても良い。いずれにしても、本発明においては、前記広告表示媒体の蛇行を検出することができるならば、特に図示するものではないが、検出手段、すなわち、蛇行センサの設置個数に限定されることなく、広告表示媒体の定常走行領域のいずれかの位置又は装置内のいずれかの位置に、１又は２以上複数の検出手段、すなわち、蛇行センサを設けて構成することができる。
前記上方のガイド軸体４０ａは前記支持ユニット７に対して少なくともその一端側（図５において左側の端部）が回転可能に、且つ、上下方向に変位可能な状態に取り付けられている。同様に、下方のガイド軸体４０ｂは前記支持ユニット７に対して少なくともその一端側（図５において左側の端部）が回転可能に、且つ、上下方向に変位可能な状態に取り付けられている。
各ガイド軸体４０ａ、４０ｂの各他端は前記支持ユニット７に対して回転可能に支持されている。
前記蛇行センサ４１ａ、４１ｂ、４２ａ、４２ｂは、例えば発光部、受光部間に広告表示媒体の端縁が至った状態の光量変化を検出するフォトインタラプタのような素子を用いて構成している。
上下２個構成の蛇行防止機構部５０ａ、５０ｂのうちの上側の蛇行防止機構部５０ａは、図５、図６に示すように、前記支持ユニット７の内部に配置したモータアクチュエータ５１と、このモータアクチュエータ５１により図６に示す矢印方向に回動駆動されるアクチュエータロッド５２と、アクチュエータロッド５２に一端を連結した伝達ロッド５３と、伝達ロッド５３の他端にロッド側端部５４ａを連結し、前記ガイド軸体４０ａの一端に軸側端部５４ｂを連結し、ロッド側端部５４ａ、軸側端部５４ｂと一体の連結片５４ｃを具備し、全体として略Ｚ形状（又は略逆Ｚ形状）を呈する蛇行修正アーム５４とを有している。
前記蛇行修正アーム５４の軸側端部５４ｂ、連結片５４ｃの境界部分は、支持軸５５により前記支持ユニット７に対して回動可能に支持されている。
上述した蛇行防止機構部５０ａにおいて、前記連結片５４ｃの一部は屈曲形成され、支持ユニット７の壁面に設けた弧状長穴５６を経て支持ユニット７の外面側に露出し、従って、軸側端部５４ｂも支持ユニット７の外面側から前記ガイド軸体４０ａの一端に連結する構造となっている。
また、軸側端部５４ｂと前記ガイド軸体４０ａとの連結部分に対応する支持ユニット７の領域には、図６に示すように、上下方向の長穴５７が設けられ、蛇行修正アーム５４からガイド軸体４０ａへの力の伝達を確保している。
上下２個構成の蛇行防止機構部５０ａ、５０ｂのうちの下側の蛇行防止機構部５０ｂは、上側の蛇行防止機構部５０ａと上下対称配置の同様な構造となっている。
図７は本実施の形態に係る蛇行防止装置の制御系を示すものであり、蛇行センサ４１ａ、４１ｂ、の検出信号を上側コントローラ６０ａに入力し、上側コントローラ６０ａにより上側のモータアクチュエータ５１を駆動制御するようになっている。また、蛇行センサ４２ａ、４２ｂの検出信号を下側コントローラ６０ｂに入力し、下側コントローラ６０ｂにより下側のモータアクチュエータ５１を駆動制御するようになっている。
次に、上述した構成の広告表示装置の作用を蛇行防止機構部５０ａ、５０ｂによる広告表示媒体の蛇行防止動作を主にし、図８乃至図１１をも参照して説明する。
（１）広告表示媒体上送りの場合
ａ．蛇行防止装置の左側の蛇行センサ４１ａがポスター類Ｐ等の広告表示媒体の定常走行領域からの蛇行（２、３ｍｍ程度）を検出（図８）
この場合には、蛇行センサ４１ａの検出信号が上側コントローラ６０ａに入力され、これにより、上側コントローラ６０ａはモータアクチュエータ５１のアクチュエータロッド５２を、図５に示す矢印ａ方向に、例えば約３５度程度回動駆動する。
これにより、前記アクチュエータロッド５２が伝達ロッド５３を右側に変位させ、蛇行修正アーム５４を支持軸５５の回りに反時計方向に回動させる。この結果、前記蛇行修正アーム５４の軸側端部５４ｂは、上方に、例えば約５ｍｍ程度変位し、前記ガイド軸体４０ａの一端を上方に変位させる。これにより、広告表示媒体は図８において右側に移動し定常走行領域に戻る（左側の蛇行センサ４１ａの検出領域から外れる）。この後（２、３秒後）、上側コントローラ６０ａはアクチュエータロッド５２を初期位置に復帰させ、ガイド軸体４０ａの一端を下降させ水平状態に戻す。
ｂ．蛇行防止装置の右側の蛇行センサ４１ｂが広告表示媒体の定常走行領域からの蛇行（２、３ｍｍ程度）を検出（図９）
この場合には、蛇行センサ４１ｂの検出信号が上側コントローラ６０ａに入力され、これにより、上側コントローラ６０ａはモータアクチュエータ５１のアクチュエータロッド５２を、図５に示す矢印ｂ方向に、例えば約３５度程度回動駆動する。
これにより、前記アクチュエータロッド５２が伝達ロッド５３を左側に変位させ、蛇行修正アーム５４を支持軸５５の回りに時計方向に回動させる。この結果、前記蛇行修正アーム５４の軸側端部５４ｂは、下方に、例えば約５ｍｍ程度変位し、前記ガイド軸体４０ａの一端を下方に変位させる。これにより、広告表示媒体は図９において左側に移動し定常走行領域に戻る（右側の蛇行センサ４１ｂの検出領域から外れる）。この後（２、３秒後）、上側コントローラ６０ａはモータアクチュエータ５１のアクチュエータロッド５２を初期位置に復帰させ、ガイド軸体４０ａの一端を上昇させ水平状態に戻す。
このようにして、蛇行防止装置の動作で、広告表示媒体上送りの場合の定常走行領域からの蛇行が自動的に修正防止され、広告表示媒体の破れ等が無くなり安定した状態での広告表示機能を発揮させることができる。
（２）広告表示媒体下送りの場合
ａ．蛇行防止装置の下側、且つ、左側の蛇行センサ４２ａが広告表示媒体の定常走行領域からの蛇行（２、３ｍｍ程度）を検出（図１０）
この場合には、蛇行センサ４２ａの検出信号が下側コントローラ６０ｂに入力され、これにより、下側コントローラ６０ｂは下側のモータアクチュエータ５１のアクチュエータロッド５２を、図５に示す矢印ｃ方向に、例えば約３５度程度回動駆動する。
これにより、前記アクチュエータロッド５２が伝達ロッド５３を右側に変位させ、蛇行修正アーム５４を支持軸５５の回りに時計方向に回動させる。この結果、前記蛇行修正アーム５４の軸側端部５４ｂは、下方に、例えば約５ｍｍ程度変位し、前記ガイド軸体４０ｂの一端を下方に変位させる。これにより、広告表示媒体は図１０において右側に移動し定常走行領域に戻る（左側の蛇行センサ４２ａの検出領域から外れる）。この後（２、３秒後）、下側コントローラ６０ｂは下側のモータアクチュエータ５１のアクチュエータロッド５２を初期位置に復帰させ、ガイド軸体４０ｂの一端を上昇させ水平状態に戻す。
ｂ．蛇行防止装置の下側、且つ、右側の蛇行センサ４２ｂが広告表示媒体の定常走行領域からの蛇行（２、３ｍｍ程度）を検出（図１１）
この場合には、蛇行センサ４２ｂの検出信号が下側コントローラ６０ｂに入力され、これにより、下側コントローラ６０ｂは下側のモータアクチュエータ５１のアクチュエータロッド５２を、図５に示す矢印ｄ方向に、例えば約３５度程度回動駆動する。
これにより、前記アクチュエータロッド５２が伝達ロッド５３を左側に変位させ、蛇行修正アーム５４を支持軸５５の回りに反時計方向に回動させる。この結果、前記蛇行修正アーム５４の軸側端部５４ｂは例えば約５ｍｍ程度上方に変位し、前記ガイド軸体４０ｂの一端を上方に変位させる。これにより、広告表示媒体は図１１において左側に移動し定常走行領域に戻る（右側の蛇行センサ４２ｂの検出領域から外れる）。この後（２、３秒後）、下側コントローラ６０ｂは下側のモータアクチュエータ５１のアクチュエータロッド５２を初期位置に復帰させ、ガイド軸体４０ｂの一端を下降させ水平状態に戻す。
このようにして、蛇行防止装置の動作で、広告表示媒体下送りの場合の定常走行領域からの蛇行が自動的に修正防止され、安定した状態での広告表示機能を発揮させることができる。
なお、上述した実施の形態においては、蛇行防止装置を片側上下２個構成としたが、４個の検出手段に各々対応して４個構成とすることもできる。
また、蛇行防止装置のガイド軸体を変位させる機構としては、上述した場合の他モータ駆動によるカム機構等を用いても良い。
更に、本実施の形態に係る広告表示媒体の蛇行防止装置が適用できる広告表示装置は、広告表示装置自体の構成を図示例に限定するものでないことは前述した通りである。
【発明の効果】
請求項１、２記載の発明によれば、広告表示装置における蛇行した広告表示媒体を定常走行領域に戻すことができ、広告表示媒体の蛇行を自動的に修正防止し、安定した走行状態を得ることができる広告表示媒体用の蛇行防止装置を提供することができる。
請求項３、４記載の発明によれば、広告表示媒体の蛇行を自動的に修正防止し、安定した走行状態を得ることができる広告表示媒体用の蛇行防止装置を備えているので、安定した広告表示機能を発揮させることができる広告表示装置を提供することができる。
【図面の簡単な説明】
【図１】本発明の実施の形態の広告表示装置の外観を示す斜視図である。
【図２】本実施の形態の広告表示装置のフロントカバーを開けた状態を示す斜視図である。
【図３】本実施の形態の広告表示装置の上連結シート、下連結シートに対するポスター類の取り付け状態を示す概略説明図である。
【図４】本実施の形態の広告表示装置の上連結シート、下連結シートに対するポスター類の取り付け状態を拡大して示す概略説明図である。
【図５】本実施の形態の蛇行防止装置の概略斜視図である。
【図６】本実施の形態の蛇行防止装置の部分拡大斜視図である。
【図７】本実施の形態の蛇行防止装置の制御系を示すブロック図である。
【図８】本実施の形態の蛇行防止装置の広告表示媒体上送りの場合の動作説明図である。
【図９】本実施の形態の蛇行防止装置の広告表示媒体上送りの場合の動作説明図である。
【図１０】本実施の形態の蛇行防止装置の広告表示媒体下送りの場合の動作説明図である。
【図１１】本実施の形態の蛇行防止装置の広告表示媒体下送りの場合の動作説明図である。
【図１２】従来の広告表示装置におけるベースシート上のポスター類の取り付け状態を示す斜視図である。
【符号の説明】
１    装置本体
２    フロントカバー
３    フロントカバー開閉キー
４    スピーカー
５    人体感知センサ
６    リタンーボタン
７    支持ユニット
７ａ  上巻き取り軸
７ｂ  下巻き取り軸
８    周波数切換えスイッチ
９    メカユニット開閉ツマミ
１０    チャイム音ボリューム
１１    操作パネル
１２    メカユニット
１３    電源／照明スイッチ
１４    位置センサ
１５    支柱又は支持枠
１６    内部照明
１７    アジャスタ
１８    ベース
１９    電源コード
２０    上連結シート
２１    シート本体
２２    位置決め爪部
２３    貼り付け部
２４    嵌込片
３０    下連結シート
３１    シート本体
３２    位置決め爪部
３３    貼り付け部
３４    嵌込受穴
３４ａ  細穴
３４ｂ  細穴
３５    センサマーク
４０ａ  ガイド軸体
４０ｂ  ガイド軸体
４１ａ  蛇行センサ
４１ｂ  蛇行センサ
４２ａ  蛇行センサ
４２ｂ  蛇行センサ
５０ａ  蛇行防止機構部
５０ｂ  蛇行防止機構部
５１    モータアクチュエータ
５２    アクチュエータロッド
５３    伝達ロッド
５４    蛇行修正アーム
５４ａ  ロッド側端部
５４ｂ  軸側端部
５４ｃ  連結片
５５    支持軸
５６    弧状長穴
５７    長穴
６０ａ  上側コントローラ
６０ｂ  下側コントローラ
Ｐ    ポスター類
【図１】
2004219703.tif 000003
【図２】
2004219703.tif 000004
【図３】
2004219703.tif 000005
【図４】
2004219703.tif 000006
【図５】
2004219703.tif 000007
【図６】
2004219703.tif 000008
【図７】
2004219703.tif 000009
【図８】
2004219703.tif 000010
【図９】
2004219703.tif 000011
【図１０】
2004219703.tif 000012
【図１１】
2004219703.tif 000013
【図１２】
2004219703.tif 000014